(57)【特許請求の範囲】
【請求項１】
遊技領域に遊技球を発射可能な発射装置を備えた遊技機において、
前記発射装置は、発射ベースと、該発射ベースに回動可能な状態で軸着され、遊技球を弾発する打球発射杵と、該打球発射杵を回動する回動駆動源と、前記打球発射杵の回動範囲を規制する回動規制部と、該回動規制部へ衝突して撃力を発生可能なノック部材と、を備え、
前記回動規制部は、前記打球発射杵が衝突可能な衝突部を備えた緩衝部材と、該緩衝部材を前記発射ベースに支持する緩衝支持部とから構成され、
前記緩衝支持部は、前記衝突部を通って前記打球発射杵の衝突方向に沿う衝突延長線上から外れた位置に配置され、
前記ノック部材は、前記打球発射杵とは反対側から前記緩衝部材へ衝突して、前記撃力により前記打球発射杵と前記緩衝部材との衝突で生じた振動を減衰するように構成されたことを特徴とする遊技機。
【請求項２】
遊技領域に遊技球を発射可能な発射装置を備えた遊技機において、
前記発射装置は、発射ベースと、該発射ベースに回動可能な状態で軸着され、遊技球を弾発する打球発射杵と、該打球発射杵を回動する回動駆動源と、前記打球発射杵の回動範囲を規制する単一の回動規制部と、を備え、
前記打球発射杵は、前記回動駆動源の発射回動軸に止着される軸着部と、該軸着部から延設され、延設端側に遊技球を弾発するための弾発部が設けられた杵部と、該杵部の延設方向からへの字状に屈曲した方向へ向けて前記軸着部より延設された発射ストッパーと、を含み、
前記単一の回動規制部は、前記打球発射杵が衝突可能な衝突部を備えた緩衝部材と、該緩衝部材を前記発射ベースに支持する緩衝支持部と、を備え、前記杵部の回動範囲と前記発射ストッパーの回動範囲との間に配置され、
前記緩衝部材は、前記杵部が衝突する第１衝突部と、前記発射ストッパーが衝突する第２衝突部と、を備え、
前記緩衝支持部は、前記第１衝突部を通って前記杵部の衝突方向に沿う第１衝突延長線上から外れた位置、且つ前記第２衝突部を通って前記発射ストッパーの衝突方向に沿う第２衝突延長線上から外れた位置に配置されたことを特徴とする遊技機。
【請求項３】
前記発射装置は、前記緩衝部材へ衝突して撃力を発生可能なノック部材を備え、
前記ノック部材は、前記杵部が前記緩衝部材へ衝突する場合には、前記杵部とは反対側から前記緩衝部材へ衝突する一方、前記発射ストッパーが前記緩衝部材へ衝突する場合には、前記発射ストッパーとは反対側から前記緩衝部材へ衝突して、前記打球発射杵と前記緩衝部材との衝突で生じた振動を前記撃力により減衰するように構成されたことを特徴とする請求項２に記載の遊技機。
【請求項４】
前記緩衝部材と発射ベースとの間に隙間を形成したことを特徴とする請求項１から請求項３のいずれかに記載の遊技機。
【発明の詳細な説明】
【技術分野】
【０００１】
本発明は、遊技領域に遊技球を発射可能な発射装置を備えたパチンコ遊技機等の遊技機に関する。
【背景技術】
【０００２】
従来の遊技機、例えば、パチンコ遊技機においては、遊技球を発射する発射装置は、モータやソレノイド等の電気的駆動源を利用して発射部材を回動し、回動する発射部材により遊技球を弾発あるいは加速して発射するように構成されている。そして、発射部材である打球発射杵により遊技球を弾発するタイプの発射装置は、打球発射杵の近傍に回動規制部を備え、該回動規制部に打球発射杵を衝突させて打球発射杵の動作を規制する。また、回動規制部は、ゴム等の弾性体で形成された緩衝部材（ストッパー）を備え、発射装置のベース部に緩衝部材を止めネジにより直接止着したり、あるいはホルダに保持した状態でベース部へ固定したりして構成されている（例えば、特許文献１および特許文献２参照）。
【特許文献１】特開平８−０９８９１８号公報
【特許文献２】特開２０００−１７６０８８号公報
【発明の開示】
【発明が解決しようとする課題】
【０００３】
ところで、上記した特許文献に記載の回動規制部は、緩衝部材をベース部へ支持するための支持構成要素（止めネジやホルダ）を、打球発射杵が衝突する衝突部の近傍、詳しくは衝突部を通って打球発射杵の衝突方向に沿う衝突延長線上に配置している。このため、打球発射杵が緩衝部材の衝突部に衝突すると、衝突により発生した振動が支持構成要素を介してベース部、さらにはパチンコ遊技機の全体に伝達してしまう。このとき、遊技者がパチンコ遊技機の一部、例えば、発射装置を操作するための発射操作ハンドルや、遊技球を貯留する貯留皿に触れていると、遊技者は、打球発射杵から生じた振動を感じ取ってしまい、振動による不快感で遊技の興趣が低減する虞がある。また、支持構成要素が緩衝部材の変形を規制してしまい、緩衝部材による衝撃の緩和を十分に行い難い。
【０００４】
そこで、本発明は、上記の事情に鑑みてなされたものであり、その目的は、打球発射杵と回動規制部との衝突により生じた振動が伝達し難くし、遊技者が発射装置からの振動を感じることを抑えて遊技の興趣の低減を抑制することができる遊技機を提供しようとするものである。
【課題を解決するための手段】
【０００５】
本発明は、上記目的を達成するために提案されたものであり、請求項１に記載のものは、遊技領域に遊技球を発射可能な発射装置を備えた遊技機において、
前記発射装置は、発射ベースと、該発射ベースに回動可能な状態で軸着され、遊技球を弾発する打球発射杵と、該打球発射杵を回動する回動駆動源と、前記打球発射杵の回動範囲を規制する回動規制部と、該回動規制部へ衝突して撃力を発生可能なノック部材と、を備え、
前記回動規制部は、前記打球発射杵が衝突可能な衝突部を備えた緩衝部材と、該緩衝部材を前記発射ベースに支持する緩衝支持部とから構成され、
前記緩衝支持部は、前記衝突部を通って前記打球発射杵の衝突方向に沿う衝突延長線上から外れた位置に配置され、
前記ノック部材は、前記打球発射杵とは反対側から前記緩衝部材へ衝突して、前記撃力により前記打球発射杵と前記緩衝部材との衝突で生じた振動を減衰するように構成されたことを特徴とする遊技機である。
【０００６】
請求項２に記載のものは、遊技領域に遊技球を発射可能な発射装置を備えた遊技機において、
前記発射装置は、発射ベースと、該発射ベースに回動可能な状態で軸着され、遊技球を弾発する打球発射杵と、該打球発射杵を回動する回動駆動源と、前記打球発射杵の回動範囲を規制する単一の回動規制部と、を備え、
前記打球発射杵は、前記回動駆動源の発射回動軸に止着される軸着部と、該軸着部から延設され、延設端側に遊技球を弾発するための弾発部が設けられた杵部と、該杵部の延設方向からへの字状に屈曲した方向へ向けて前記軸着部より延設された発射ストッパーと、を含み、
前記単一の回動規制部は、前記打球発射杵が衝突可能な衝突部を備えた緩衝部材と、該緩衝部材を前記発射ベースに支持する緩衝支持部と、を備え、前記杵部の回動範囲と前記発射ストッパーの回動範囲との間に配置され、
前記緩衝部材は、前記杵部が衝突する第１衝突部と、前記発射ストッパーが衝突する第２衝突部と、を備え、
前記緩衝支持部は、前記第１衝突部を通って前記杵部の衝突方向に沿う第１衝突延長線上から外れた位置、且つ前記第２衝突部を通って前記発射ストッパーの衝突方向に沿う第２衝突延長線上から外れた位置に配置されたことを特徴とする遊技機である。
【０００７】
請求項３に記載のものは、前記発射装置は、前記緩衝部材へ衝突して撃力を発生可能なノック部材を備え、
前記ノック部材は、前記杵部が前記緩衝部材へ衝突する場合には、前記杵部とは反対側から前記緩衝部材へ衝突する一方、前記発射ストッパーが前記緩衝部材へ衝突する場合には、前記発射ストッパーとは反対側から前記緩衝部材へ衝突して、前記打球発射杵と前記緩衝部材との衝突で生じた振動を前記撃力により減衰するように構成されたことを特徴とする請求項２に記載の遊技機である。
【０００８】
請求項４に記載のものは、前記緩衝部材と発射ベースとの間に隙間を形成したことを特徴とする請求項１から請求項３のいずれかに記載の遊技機である。
【発明の効果】
【０００９】
本発明によれば、以下のような優れた効果を奏する。
請求項１に記載の発明によれば、発射装置は、発射ベースと、該発射ベースに回動可能な状態で軸着され、遊技球を弾発する打球発射杵と、該打球発射杵を回動する回動駆動源と、打球発射杵の回動範囲を規制する回動規制部と、該回動規制部へ衝突して撃力を発生可能なノック部材と、を備え、回動規制部は、打球発射杵が衝突可能な衝突部を備えた緩衝部材と、該緩衝部材を発射ベースに支持する緩衝支持部とから構成され、該緩衝支持部は、衝突部を通って打球発射杵の衝突方向に沿う衝突延長線上から外れた位置に配置されたので、打球発射杵を回動規制部へ衝突して打球発射杵の回動範囲を規制したとしても、打球発射杵と回動規制部との衝突により生じた振動が発射ベース、ひいては遊技機の全体に伝わり難い。また、緩衝部材のうち衝突延長線上に位置する部分が衝突方向へ移動することを許容することができる。したがって、打球発射杵の衝突により緩衝部材が変形し易くなり、この変形により打球発射杵から受ける衝撃を吸収することができる。これにより、遊技者が打球発射杵から生じた振動を感じることを抑えることができ、振動による不快感で遊技の興趣が低減する不都合を抑制することができる。
さらに、ノック部材は、打球発射杵とは反対側から緩衝部材へ衝突して、撃力により打球発射杵と緩衝部材との衝突で生じた振動を減衰するように構成されたので、打球発射杵と回動規制部との衝突で生じた振動を、緩衝部材を変形して吸収するだけではなく、ノック部材による振動により打ち消すことで十分に減衰し易い。また、緩衝部材が大きく変形することなく打球発射杵から生じた振動を減衰することができ、緩衝部材の変形による劣化を抑制し易い。
【００１０】
請求項２に記載の発明によれば、発射装置は、発射ベースと、該発射ベースに回動可能な状態で軸着され、遊技球を弾発する打球発射杵と、該打球発射杵を回動する回動駆動源と、打球発射杵の回動範囲を規制する単一の回動規制部と、を備え、打球発射杵は、回動駆動源の発射回動軸に止着される軸着部と、該軸着部から延設され、延設端側に遊技球を弾発するための弾発部が設けられた杵部と、該杵部の延設方向からへの字状に屈曲した方向へ向けて軸着部より延設された発射ストッパーと、を含み、単一の回動規制部は、打球発射杵が衝突可能な衝突部を備えた緩衝部材と、該緩衝部材を発射ベースに支持する緩衝支持部と、を備え、杵部の回動範囲と発射ストッパーの回動範囲との間に配置され、緩衝部材は、杵部が衝突する第１衝突部と、発射ストッパーが衝突する第２衝突部と、を備え、緩衝支持部は、第１衝突部を通って杵部の衝突方向に沿う第１衝突延長線上から外れた位置、且つ第２衝突部を通って発射ストッパーの衝突方向に沿う第２衝突延長線上から外れた位置に配置されたので、打球発射杵を緩衝部材へ衝突して打球発射杵の回動範囲を規制したとしても、打球発射杵と緩衝部材との衝突により生じた振動が発射ベース、ひいては遊技機の全体に伝わり難い。また、緩衝部材のうち衝突延長線上に位置する部分が衝突方向へ移動することを許容することができる。したがって、打球発射杵の衝突により緩衝部材が変形し易くなり、この変形により打球発射杵から受ける衝撃を吸収することができる。これにより、遊技者が打球発射杵から生じた振動を感じることを抑えることができ、振動による不快感で遊技の興趣が低減する不都合を抑制することができる。
【００１１】
請求項３に記載の発明によれば、発射装置は、緩衝部材へ衝突して撃力を発生可能なノック部材を備え、ノック部材は、杵部が緩衝部材へ衝突する場合には、杵部とは反対側から緩衝部材へ衝突する一方、発射ストッパーが緩衝部材へ衝突する場合には、発射ストッパーとは反対側から緩衝部材へ衝突して、打球発射杵と緩衝部材との衝突で生じた振動を前記撃力により減衰するように構成されたので、打球発射杵と緩衝部材との衝突で生じた振動を、緩衝部材を変形して吸収するだけではなく、ノック部材による振動により打ち消すことで十分に減衰し易い。また、緩衝部材が大きく変形することなく打球発射杵から生じた振動を減衰することができ、緩衝部材の変形による劣化を抑制し易い。
【００１２】
請求項４に記載の発明によれば、緩衝部材と発射ベースとの間に隙間を形成したので、緩衝部材が受けた衝撃を直接発射ベースへ伝達し難くすることができ、遊技者が打球発射杵から生じた振動を感じることを一層抑えることができる。また、緩衝部材を発射ベースに規制されることなく変形することができ、打球発射杵から受ける衝撃をさらに吸収することができる。
【発明を実施するための最良の形態】
【００１３】
以下、代表的な遊技機であるパチンコ遊技機を例に挙げて本発明の実施の最良の形態を図面に基づき説明する。図１はパチンコ遊技機の斜視図、図２はパチンコ遊技機の下部の内部構造を示す拡大図である。
パチンコ遊技機１は、外枠（機枠あるいは本体枠）２に前面枠（内枠）３を開閉可能に軸着し、この前面枠３のベースとなる略額縁状の前面枠本体４に矩形状の遊技盤５を収納可能とし、遊技盤５の表面には、区画部材（サイドケース）７を配置して略円形状の遊技領域８を区画形成し、該遊技領域８内に表示装置や入賞口等の役物（いずれも図示せず）を配設している。また、前面枠３の前面側には、一側（図１中、左側）が軸着された透明部材保持枠９を開閉（回動）可能に設け、該透明部材保持枠９に透視可能な透明部材１０を収納し、透明部材保持枠９の裏面側には、遊技球を遊技領域８内へ案内するための縦長な発射案内路（図示せず）を形成し、透明部材保持枠９を閉じると、遊技盤５が透明部材保持枠９により覆われるとともに、透明部材１０が遊技領域８の前方に配置され、透明部材１０を通して遊技領域８を前方から視認できるように構成している。さらに、透明部材保持枠９の下方には、一側（図１中、左側）が軸着された横長な貯留皿ユニット１４を開閉（回動）可能に備え、該貯留皿ユニット１４の側方（図１中、右側方）には、後述する発射装置１７を操作するための発射操作ユニット（発射操作ハンドル）１８を備えている。
【００１４】
前面枠本体４は、矩形状の開口部を上寄りに開設した合成樹脂製枠体であり、図２に示すように、開口部の周縁に額縁状の遊技盤収納部２３を備え、遊技盤収納部２３内に遊技盤５を着脱可能な状態で収納するように構成されている。また、遊技盤収納部２３の下方にボード部２４を備え、該ボード部２４の上端に遊技盤載置部（図示せず）を設け、該遊技盤載置部に遊技盤５の下端を載置することで、遊技盤５の上下方向の位置を規制できるように構成されている。さらに、ボード部２４の前面側の一側寄り（図２中、左寄り）の上部には、前面枠本体４の裏側の球排出装置（図示せず）から供給される賞球あるいは貸球としての遊技球を貯留皿ユニット１４へ排出する球排出口２９を開設している。そして、ボード部２４の他側寄り（図２中、右寄り）、すなわち発射操作ユニット１８寄りの位置には、貯留皿ユニット１４の自由端部を係止可能なロック係止受部３０を設け、該ロック係止受部３０に貯留皿ユニット１４の自由端部を係止して貯留皿ユニット１４を前面枠本体４に対して閉状態に維持できるように構成されている。
【００１５】
貯留皿ユニット１４は、遊技球を貯留し、この貯留した遊技球を弾発して遊技盤５の遊技領域８へ発射するためのユニットである。貯留皿ユニット１４は、図２に示すように、横長なベースパネル（開閉部材）３１を備え、該ベースパネル３１の一端部（図２中、右端部）には、ベースパネル３１を前面枠本体４に対して開閉可能な状態で軸着する軸着部（ヒンジ部）３１ａを配置し、他側部（図２中、左側部）には、ロック係止受部３０に係止可能なロック係止部３１ｂを配置している。また、ベースパネル３１の前面側には、遊技球を貯留可能な皿部材３３と、該皿部材３３の前側部およびベースパネル３１の前面側全体を覆うカバー部材３４とを配置している。さらに、ベースパネル３１の後面側には、球排出口２９から排出された遊技球（賞球または貸球）、あるいは発射装置１７から発射されたが遊技領域８まで到達せずに発射案内路を逆流してきた遊技球（ファール球）を流下させる横長な球流下樋３５と、該球流下樋３５の下流端（図２中、左端）に接続され、球流下樋３５を流下する遊技球を貯留皿ユニット１４の下方へ抜き出す球抜機構３６と、皿部材３３に貯留された遊技球を遊技領域８へ向けて発射する発射装置１７とを配置している。そして、ベースパネル３１の軸着部３１ａ寄り（図２中、右寄り）に略矩形状の大きなベース開口３８を開設し、カバー部材３４の裏側のうちベース開口３８に対向する部分には、後方を開放した箱状の発射支持部（図示せず）を形成し、該発射支持部に発射装置１７をその前側部がベース開口３８へ遊嵌する状態で支持している。
【００１６】
なお、球流下樋３５は、その上流部（図２中、右側部）を発射装置１７の上方に配置し、この上流部の前後幅を下流部の前後幅よりも広く設定して略箱状の球受部４７を形成し、該球受部４７の後部に球受開口４７ａを開設して、球受開口４７ａと球排出口２９とが連通、すなわち球流下樋３５と球排出口２９とが連通するように構成されている。また、球受部４７の上部を開放して発射案内路の下端に連通し、発射案内路を逆流してきたファール球を球受部４７に受け入れるように構成されている。さらに、球受部４７の底部には、発射装置１７と発射案内路とを連通（接続）する発射接続路４８を上下に貫通する状態で配置している。
【００１７】
また、球抜機構３６は、カバー部材３４の中央部分に設けられた球抜操作部４９（図１参照）を押し込み操作することで、球流下樋３５内の遊技球を貯留皿ユニット１４から抜き出すことを許容する抜き出し状態と、貯留皿ユニット１４からの抜き出しを規制する抜き出し規制状態とに変換できるように構成されている。
【００１８】
そして、図１に示すように、ベースパネル３１の上側のうちロック係止部３１ｂ寄り（図１中、右寄り）の部分には、前後に貫通する流下開口３１ｃを開設し、球流下樋３５をベースパネル３１の自由端側へ下り傾斜した状態、言い換えると球排出口２９の前方から流下開口３１ｃへ向けて下り傾斜した状態で設定し、流下開口３１ｃを介して皿部材３３の内側（詳しくは皿部材３３の内側の上部）と球流下樋３５の下流端とを連通している。また、皿部材３３の底面を流下開口３１ｃからベース開口３８へ向けて下り傾斜する状態に設定し、発射装置１７のうちベース開口３８から前方へ臨ませた部分と、皿部材３３の内側（詳しくは皿部材３３の内側の下部）とを連通している。したがって、貯留皿ユニット１４は、球排出口２９から排出された遊技球（賞球あるいは貸球）を球流下樋３５、流下開口３１ｃ、皿部材３３を経て発射装置１７へ供給するように構成されている。
【００１９】
次に、発射装置１７について説明する。
貯留皿ユニット１４に装着された発射装置１７は、図３および図４に示すように、当該発射装置１７の基部となる発射ベース５２と、当該発射装置１７に供給された遊技球を回動動作（揺動動作）により弾発する打球発射杵（発射部材）５３と、該打球発射杵５３を回動するロータリーソレノイド５４等の回動駆動源（揺動駆動源）と、打球発射杵５３に接続されたリンク機構５６とを備えて構成され、後方の前面枠本体４のボード部２４に対向する状態で配置されている。
【００２０】
発射ベース５２は、発射装置１７を貯留皿ユニット１４へ取り付けるための部材であり、後方および上方が開放された略箱形状に形成され、その内部に打球発射杵５３およびリンク機構５６を収容している。また、発射ベース５２の四隅から係合突部５７を後方の前面枠本体４へ向けて突設し、係合突部５７をボード部２４に設けられた係合受部５８（図２参照）へ係合して発射装置１７を前面枠本体４の前方に位置決めできるように構成されている。さらに、発射ベース５２の前側には矩形状のベース基部５９を備え、該ベース基部５９の前面側にロータリーソレノイド５４を配置し、該ロータリーソレノイド５４の出力軸（発射回動軸）６０を当該発射ベース５２の中央部分よりも上寄りの位置を貫通して後方へ突出し、発射回動軸６０の先端（後端）に打球発射杵５３を軸着している。また、発射ベース５２の後面側のうち発射回動軸６０の突出部分よりも上方には、遊技球を１個ずつ整列した状態で流下可能な球送り流路（整列路）６４を一側（図３（ａ）中、右側）へ下り傾斜した姿勢で配置している。そして、球送り流路６４の上流端（図３（ａ）中、左端部）に、ベース基部５９を前後に貫通する貫通流路６５を球送り流路６４に連通した状態で備え、該貫通流路６５の前端部をベース開口３８から前方へ突出して皿部材３３の傾斜下端に接続し、遊技球を貫通流路６５から球送り流路６４へ導入できるように構成されている。
【００２１】
さらに、図４に示すように、球送り流路６４の下流部（図４（ａ）中、右側部）を下方へ屈曲し、この屈曲部に球送り部材６８を回動自在な状態で配置している。また、球送り流路６４の下流端の側方（図４（ａ）中、右側方）には、球送り流路６４から供給された遊技球を１個保持可能な弾発球保持部６９を備え、該弾発球保持部６９に保持される遊技球の配置空間部を球発射位置７０としている。そして、該弾発球保持部６９の下部を開放して後述する打球発射杵５３の一部を球発射位置７０へ下方から進入可能とし、弾発球保持部６９および球発射位置７０の上方には、発射接続路４８の下端と球発射位置７０とを上下に連通可能な発射連通路７１を備え、遊技球が球発射位置７０から発射連通路７１および発射接続路４８を介して透明部材保持枠９の発射案内路へ飛翔できるように構成されている。
【００２２】
なお、球送り部材６８は、球発射位置７０へ遊技球を１個ずつ供給するための部材であり、図４に示すように、球送り軸７３を介して前方の発射ベース５２に回動自在な状態で軸着され、球送り軸７３の上方に遊技球を１個保持可能な球保持部（切欠部）７４を形成している。そして、球送り軸７３を中心にして後方から見て反時計方向へ回動して球保持部７４を屈曲部よりも上流側へ向けて開放すると（図４（ｂ）参照）、球保持部７４に遊技球を１個保持した状態で球送り流路６４を遮断し、遊技球を球発射位置７０へ供給することを停止する状態（球供給停止状態）に変換する。一方、後方から見て時計方向へ回動して球保持部７４を屈曲部よりも下流側へ向けて開放すると（図４（ａ）参照）、球保持部７４に保持した遊技球のみを球送り流路６４の下流端へ流下して球発射位置７０に供給するが、屈曲部よりも上流側に配置された遊技球の流下を球送り部材６８の先端部分で阻止する状態（球供給状態）に変換する。
【００２３】
打球発射杵５３は、図４（ａ）に示すように、ロータリーソレノイド５４の発射回動軸６０に止着される軸着部分（本発明における軸着部に相当）から縦長な杵部７７を球発射位置７０側（図５中、右側）へ僅かに屈曲した状態で延設し、該杵部７７の先端部には、遊技球を弾発する弾発部７８を球発射位置７０側（右側）へ突設している。そして、発射回動軸６０を揺動中心にして、弾発部７８を球発射位置７０へ向けて移動（回動）する第１動作と、球発射位置７０から離れる第２動作とを行って揺動するように構成されている。具体的に説明すると、ロータリーソレノイド５４を駆動（励磁）して発射回動軸６０を図４（ｂ）に示す回転方向Ａへ回転すると第１動作を行い、杵部７７を横向き姿勢にして弾発部７８を弾発球保持部６９の内部へ下方から進入させ、弾発球保持部６９上に保持された遊技球を上方へ弾発する弾発状態に変換する（図４（ｂ）参照）。一方、ロータリーソレノイド５４の駆動を停止（すなわち消磁）して打球発射杵５３の自重により発射回動軸６０を図４（ａ）に示す回転方向Ｂへ回転すると第２動作を行い、弾発部７８を球発射位置７０および弾発球保持部６９の下方へ移動して杵部７７を縦向き姿勢に変えて、次の遊技球を弾発するための弾発準備状態に変換する（図４（ａ）参照）。さらに、打球発射杵５３のうち軸着部分（発射回動軸６０）を挟んで杵部７７と反対側には、後述する回動規制部８１に衝突可能な発射ストッパー７９を杵部７７の延設方向とは異なる方向（杵部７７の延設方向から「へ」字状に屈曲した方向）へ向けて突設し、発射ストッパー７９および杵部７７を回動規制部８１に係合（当接）することで、打球発射杵５３の回動範囲を規制するように構成されている。
【００２４】
リンク機構５６は、打球発射杵５３および球送り部材６８を連動させるための機構であり、打球発射杵５３に設けられた杵側リンク部材８５と、杵側リンク部材８５と球送り部材６８とを接続する球送りリンク部８６とを備えて構成されている。また、球送りリンク部８６を杵側リンク部材８５の球送り部材６８側（図４（ａ）中、右側）に設けられた縦長な略円弧状のカム溝部８７と、球送り部材６８の球送り軸７３を挟んで球保持部７４とは反対側に設けられたカムフォロワ８８とから構成している。さらに、カムフォロワ８８を後方へ延設された円筒状の回動ころで形成し、カム溝部８７内にカムフォロワ８８を嵌合した状態で転動することで打球発射杵５３と球送り部材６８とを連動するように構成されている。
【００２５】
そして、発射装置１７は、ベース基部５９に打球発射杵５３の回動範囲を規制する回動規制部８１を配置している。回動規制部８１は、図４および図５に示すように、打球発射杵５３が衝突可能な緩衝部材９１と、該緩衝部材９１を発射ベース５２に支持する緩衝支持部９２（第１緩衝支持部９３および第２緩衝支持部９４）とから構成され、ベース基部５９の後面側のうち杵部７７の回動範囲と発射ストッパー７９の回動範囲との間に位置する部分、具体的には、打球発射杵５３の軸着部（発射回動軸６０）の下方であって杵部７７を挟んで球発射位置７０とは反対側（図４（ａ）中、左側）に配置されている。また、回動規制部８１の中心と発射回動軸６０との距離を杵部７７の延出長さおよび発射ストッパー７９の延出長さよりも短く設定し、杵部７７および発射ストッパー７９が回動規制部８１に当接できるように構成されている。
【００２６】
緩衝部材９１は、該打球発射杵５３と衝突して打球発射杵５３の回動動作を規制するための厚肉な円筒状の部材であり、打球発射杵５３（杵部７７、発射ストッパー７９）の前後幅（厚さ）よりも十分に広い前後幅に設定され、衝撃を吸収し易い材料、例えばゴムやウレタン等の弾性体で形成されている。また、緩衝部材９１の外周部には、打球発射杵５３が衝突可能な発射衝突部９７（本発明における衝突部に相当）を設定している。発射衝突部９７は、回動規制部８１の外周部のうち打球発射杵５３に対向する部分、具体的には外周部の上部から球発射位置７０側（図４（ａ）中、右側）に亘って、言い換えると打球発射杵５３の発射ストッパー７９が当接可能な箇所から杵部７７が当接可能な箇所に亘って設定されている。そして、発射ストッパー７９に対向する部分、すなわち発射衝突部９７の上側部分を第１杵規制部９８とし、該第１杵規制部９８に発射ストッパー７９を衝突できるように構成されている。また、杵部７７に対向する部分、すなわち発射衝突部９７の球発射位置７０側（右側）の部分を第２杵規制部９９とし、該第２杵規制部９９に杵部７７を衝突できるように構成されている。さらに、図５（ａ）に示すように、緩衝部材９１の上下両側に、緩衝支持部９２の一部を挿通可能な支持開口部１００を前後方向へ貫通している。
【００２７】
緩衝支持部９２は、緩衝部材９１の一側である上側を支持する第１緩衝支持部９３と、他側である下側を支持する第２緩衝支持部９４とから構成されている。第１緩衝支持部９３は、ベース基部５９に突設されたボス状の第１支持基部９３ａと、ビス等の第１支持部本体９３ｂとを備え、第１支持基部９３ａをベース基部５９の後面側のうち発射回動軸６０寄りの部分から後方へ向けて突設し、第１支持部本体９３ｂを緩衝部材９１の上側の支持開口部１００に挿通し、この挿通状態で第１支持部本体９３ｂの先端を第１支持基部９３ａに接続して緩衝部材９１の上部をベース基部５９に止着している。また、第２緩衝支持部９４は、ベース基部５９に突設されたボス状の第２支持基部９４ａと、ビス等の第２支持部本体９４ｂとを備え、第２支持基部９４ａをベース基部５９の後面側のうち第１支持基部９３ａを挟んで発射回動軸６０とは反対側の部分から後方へ向けて突設し、第２支持部本体９４ｂを緩衝部材９１の下側の支持開口部１００に挿通し、この挿通状態で第２支持部本体９４ｂの先端を第２支持基部９４ａに接続して緩衝部材９１の下部をベース基部５９に止着している。
【００２８】
そして、第１緩衝支持部９３は、図４に示すように、第１杵規制部９８および第２杵規制部９９から上方へ外れた位置に配置されている。詳しくは、第１杵規制部９８を通って発射ストッパー７９の衝突方向（言い換えると、緩衝部材９１の中央へ向かう方向）に沿う第１衝突延長線Ｌ１上から上方（一側方）へ外れた位置、且つ、第２杵規制部９９を通って杵部７７の衝突方向（言い換えると、緩衝部材９１の中央へ向かう方向）に沿う第２衝突延長線Ｌ２上から上方（一側方）へ外れた位置に配置されている。さらに、第２緩衝支持部９４は、第１杵規制部９８および第２杵規制部９９から下方（他側方）へ外れた位置に配置されている。詳しくは、第１衝突延長線Ｌ１上から下方（他側方）へ外れた位置、且つ、第２衝突延長線Ｌ２上から下方へ外れた位置に配置されている。また、第１支持基部９３ａおよび第２支持基部９４ａは、図５（ｂ）に示すように、その突出端となる後端部を緩衝部材９１の前面部に当接して、緩衝部材９１と緩衝部材９１とベース基部５９（発射ベース５２）との間に隙間１０１を形成している。したがって、各支持基部９３ａ，９４ａは、緩衝部材９１をベース基部５９から離間するためのスペーサとして機能する。
【００２９】
次に、発射装置１７の作用について説明する。なお、球発射位置７０および球送り流路６４には、予め遊技球が配置されているものとする。
まず、ロータリーソレノイド５４の駆動を停止した常態では、発射装置１７は、図４（ａ）に示すように、打球発射杵５３を弾発準備状態に設定し、杵部７７を回動規制部８１の第２杵規制部９９に当接する。さらに、球送り部材６８を球供給状態（球保持部７４を球発射位置７０側へ向けた状態）に維持するとともに、球送り部材６８の回動を阻止する。
【００３０】
この状態からロータリーソレノイド５４を駆動して打球発射杵５３が第１動作（すなわち弾発部７８を球発射位置７０へ向けて移動する動作）を行うと（図４（ｂ）参照）、リンク機構５６が打球発射杵５３の第１動作によって発生した回動力を球送り部材６８へ伝達し、この伝達力により球送り部材６８が回動して球供給状態から球供給停止状態（球保持部７４を球送り流路６４の上流側へ向けた状態）へ変換する。すると、球送り部材６８は、球保持部７４に球送り流路６４から流下した遊技球を１個保持し、この保持状態で球送り流路６４および球保持部７４内の遊技球が球発射位置７０へ流下することを阻止する。そして、この保持状態になると、その後は打球発射杵５３が更に回動しても球送り部材６８は動かない。
【００３１】
引き続き打球発射杵５３が第１動作を行って弾発部７８を球発射位置７０へ進入させると、弾発部７８は球発射位置７０に配置された遊技球に衝突する。弾発部７８により衝突（弾発）された遊技球は、発射連通路７１および発射接続路４８を上昇し、透明部材保持枠９の発射案内路へ向けて勢いよく飛翔する。このようにして発射装置１７は遊技球を発射する。さらに打球発射杵５３が第１動作を続けると、図４（ｂ）に示すように、発射ストッパー７９が緩衝部材９１の発射衝突部９７、詳しくは発射衝突部９７の第１杵規制部９８に衝突（係合）し、打球発射杵５３の第１動作および回動範囲が規制される。このとき、発射ストッパー７９が緩衝部材９１へ衝撃を与えるが、第１緩衝支持部９３および第２緩衝支持部９４が第１衝突延長線Ｌ１上から外れた位置に配置されているので、発射ストッパー７９を回動規制部８１（緩衝部材９１）へ衝突して打球発射杵５３の回動範囲を規制したとしても、打球発射杵５３と回動規制部８１（緩衝部材９１）との衝突により生じた振動が発射ベース５２、ひいては貯留皿ユニット１４やパチンコ遊技機１の全体に伝わり難い。また、緩衝部材９１のうち第１衝突延長線Ｌ１上に位置する部分が衝突方向へ移動することを許容することができる。したがって、発射ストッパー７９の衝突により緩衝部材９１が変形し易くなり、この変形により発射ストッパー７９から受ける衝撃を吸収することができる。これにより、遊技球の発射の際に、遊技者が打球発射杵５３から生じた振動を感じることを抑えることができ、振動による不快感で遊技の興趣が低減する不都合を抑制することができる。
【００３２】
また、緩衝部材９１と発射ベース５２との間に隙間１０１を形成しているので、緩衝部材９１が発射ストッパー７９から受けた衝撃を直接発射ベース５２へ伝達し難くすることができ、遊技者が打球発射杵５３から生じた振動を感じることを一層抑えることができる。また、緩衝部材９１を発射ベース５２に規制されることなく変形することができ、打球発射杵５３から受ける衝撃をさらに吸収することができる。
【００３３】
打球発射杵５３の第１動作を規制したならば、ロータリーソレノイド５４を消磁して、自重により打球発射杵５３に球発射位置７０から離れる第２動作を行わせる。打球発射杵５３が第２動作を行うと、リンク機構５６が打球発射杵５３の第２動作により発生した回動力を球送り部材６８へ伝達し、この伝達力により球送り部材６８が回動して球供給停止状態から球供給状態へ戻る。すると、球送り部材６８は、球供給停止状態時に保持した遊技球１個を球送り流路６４の下流側へ流下して球発射位置７０へ供給する。これにより、次回発射する遊技球を球発射位置７０へ配置して発射準備を行う。また、球送り部材６８の一部（球保持部７４の側部）により球送り流路６４の屈曲部を遮断し、球送り流路６４の上流側の遊技球が球発射位置７０へ流下することを阻止する。さらに打球発射杵５３が第２動作を続けると、図４（ａ）に示すように、杵部７７が緩衝部材９１の発射衝突部９７、詳しくは発射衝突部９７の第２杵規制部９９に衝突し、打球発射杵５３の第２動作が規制される。このとき、杵部７７が緩衝部材９１へ衝撃を与えるが、第１緩衝支持部９３および第２緩衝支持部９４が第２衝突延長線Ｌ２上から外れた位置に配置されているので、杵部７７を回動規制部８１（緩衝部材９１）へ衝突して打球発射杵５３の回動範囲を規制したとしても、打球発射杵５３と回動規制部８１（緩衝部材９１）との衝突により生じた振動が発射ベース５２、ひいては貯留皿ユニット１４やパチンコ遊技機１の全体に伝わり難い。また、緩衝部材９１のうち第２衝突延長線Ｌ２上に位置する部分が衝突方向へ移動することを許容することができる。したがって、杵部７７が衝突した場合でも緩衝部材９１が変形し易くなり、この変形により杵部７７から受ける衝撃を吸収することができる。これにより、遊技球の発射準備の際であっても、遊技者が打球発射杵５３から生じた振動を感じることを抑えることができ、振動による不快感で遊技の興趣が低減する不都合を抑制することができる。
【００３４】
さらに、緩衝部材９１と発射ベース５２との間に隙間１０１を形成しているので、緩衝部材９１が杵部７７から受けた衝撃を直接発射ベース５２へ伝達し難くすることができ、遊技者が打球発射杵５３から生じた振動を感じることを一層抑えることができる。また、緩衝部材９１を発射ベース５２に規制されることなく変形することができ、遊技球の発射準備の際であっても、打球発射杵５３から受ける衝撃をさらに吸収することができる。
【００３５】
そして、発射装置１７は、緩衝部材９１の一側（上部）と他側（下部）のみを緩衝支持部９２で支持するので、回動規制部８１の構成が複雑になることを避けることができる。この結果、打球発射杵５３の回動範囲を規制する構成要素の製造コスト、ひいては発射装置１７の製造コストを抑えることができる。
【００３６】
なお、緩衝支持部９２を第１緩衝支持部９３（第１支持基部９３ａおよび第１支持部本体９３ｂ）と第２緩衝支持部９４（第２支持基部９４ａおよび第２支持部本体９４ｂ）とで構成せず、図６に示すように、内側に緩衝部材９１を保持可能な緩衝ホルダ部１０５と、該緩衝ホルダ部１０５の上下両側をベース基部５９に止着するビス等の止着部材１０６とで構成してもよい。緩衝ホルダ部１０５は、ベース基部５９に接続するホルダ接続部１０８を緩衝部材９１の上方および下方に前後方向へ延出する状態で配置し、ホルダ接続部１０８の内側には嵌合凹部１０９を外方へ凹ませて形成し、該嵌合凹部１０９に緩衝部材９１の上下各部を嵌合してホルダ接続部１０８の間に緩衝部材９１を挟持可能としている。また、上下両側のホルダ接続部１０８の後端部分を接続する状態で略円板状のホルダ本体１１０を縦向きに配置し、該ホルダ本体１１０の大きさを緩衝部材９１の後面と略等しく設定し、ホルダ接続部１０８に支持された状態の緩衝部材９１をホルダ本体１１０で後方からカバーしている。さらに、ホルダ接続部１０８には、ホルダ開口部１１１を前後方向へ貫通し、該ホルダ開口部１１１に止着部材１０６を挿通して緩衝ホルダ部１０５をベース基部５９へ止着している。そして、ホルダ接続部１０８に形成された嵌合凹部１０９の前端部をホルダ接続部１０８の前端部から後方へ離れた位置に設定するとともに、後端部をホルダ本体１１０の前面から前方へ離れた位置に設定して、緩衝ホルダ部１０５内に保持状態の緩衝部材９１がベース基部５９との間、およびホルダ本体１１０との間（すなわち緩衝部材９１の前後両側方）に隙間１１２を形成するように構成されている。なお、緩衝ホルダ部１０５に保持された緩衝部材９１は、その左右両側面から発射衝突部９７（第１杵規制部９８および第２杵規制部９９）を外方へ露出して、打球発射杵５３を当接できるように設定される。
【００３７】
このような構成の緩衝支持部９２で緩衝部材９１を支持すれば、緩衝部材９１に支持用の孔を直接開設する必要がなく、緩衝部材９１を簡素な構造に抑えることができ、緩衝部材９１の製造コストの低減を図ることができる。また、緩衝部材９１がベース基部５９およびホルダ本体１１０に接触しないので、緩衝部材９１の変形をベース基部５９（発射ベース５２）やホルダ本体１１０に規制されることがなく、打球発射杵５３から受ける衝撃を十分に吸収し易い。
【００３８】
ところで、発射装置１７は、図７に示すように、回動規制部８１を挟んで打球発射杵５３とは反対側に配置され、回動規制部８１へ衝突して撃力を発生可能なノック部材１１５を備えてもよい。具体的に説明すると、ノック部材１１５は、ノック部材１１５の回動中心となるノック回動軸１１６を、ベース基部５９の後面側のうち回動規制部８１を挟んで発射回動軸６０とは反対側から後方へ向けて延設し、該ノック回動軸１１６に回動自在な状態で軸着されている。さらに、ノック回動軸１１６に軸着される軸着部分から球発射位置７０側（図７（ａ）中、右側）へ向けて第１ノック部１１７を延設し、軸着部分（ノック回動軸１１６）を挟んで第１ノック部１１７とは反対側には、杵部７７よりも短い第２ノック部１１８を上方へ向けて延設している。そして、第１ノック部１１７の延出長さおよび第２ノック部１１８の延出長さをノック回動軸１１６と回動規制部８１の中心との距離よりも短く設定し、第１ノック部１１７および第２ノック部１１８が回動規制部８１の外周部に係合できるように略Ｌ字状に構成されている。
【００３９】
さらに、リンク機構５６には、打球発射杵５３とノック部材１１５とを連動させるノックリンク部１２０を備えている。ノックリンク部１２０は、打球発射杵５３に設けられた杵側リンク部材８５とノック部材１１５に設けられたノック側リンク部材１２１とをリンクアーム１２２で連結して構成されている。具体的には、杵側リンク部材８５のうち発射回動軸６０から回動規制部８１とは反対側（図７（ａ）中、右側）へ外れた位置にリンクアーム１２２の一端（上端）を回動自在に軸着し、ノック側リンク部材１２１のうちノック回動軸１１６から回動規制部８１側（図７（ａ）中、右側）へ外れた位置にリンクアーム１２２の他端（下端）を回動自在に軸着して、リンクアーム１２２を介して杵側リンク部材８５とノック側リンク部材１２１とを連結している。したがって、打球発射杵５３の回動（揺動）に連動してノック部材１１５がノック回動軸１１６を中心にして回動（揺動）するように構成されている。
【００４０】
そして、回動規制部８１の緩衝部材９１の外周部には、ノック部材１１５が衝突可能なノック衝突部１２４が設定される。ノック衝突部１２４は、回動規制部８１の外周部のうちノック部材１１５に対向する部分、具体的には外周部の下部から球発射位置７０とは反対側（図７（ａ）中、左側）に亘って、言い換えると第１ノック部１１７が当接可能な箇所から第２ノック部１１８が当接可能な箇所に亘って設定されている。そして、ノック部材１１５の第１ノック部１１７に対向する部分、すなわちノック衝突部１２４の下側部分を第１ノック規制部１２５とし、該第１ノック規制部１２５に第１ノック部１１７を衝突できるように構成されている。また、ノック部材１１５の第２ノック部１１８に対向する部分、すなわちノック衝突部１２４の球発射位置７０とは反対側（左側）の部分を第２ノック規制部１２６とし、該第２ノック規制部１２６に第２ノック部１１８を衝突できるように構成されている。さらに、第１ノック規制部１２５を第１衝突延長線Ｌ１上に設定し、第２ノック規制部１２６を第２衝突延長線Ｌ２上に設定している。
【００４１】
このような構成のノック部材１１５およびリンク機構５６を備えて、ロータリーソレノイド５４の駆動を停止して常態に設定すると、発射装置１７は、図７（ａ）に示すように、打球発射杵５３を弾発準備状態に設定し、杵部７７を回動規制部８１の第２杵規制部９９に当接する。また、ノックリンク部１２０を介して打球発射杵５３に接続されたノック部材１１５を、第２ノック部１１８が縦向き姿勢に設定されて回動規制部８１のノック衝突部１２４に当接した状態（第２ノック状態）に設定する。さらに、カム溝部８７の上部にカムフォロワ８８を嵌合して球送り部材６８を球供給状態（球保持部７４を球発射位置７０側へ向けた状態）に維持するとともに、球送り部材６８の回動を阻止する。
【００４２】
この状態から打球発射杵５３が第１動作を行うと、リンク機構５６の球送りリンク部８６が伝達する伝達力により球送り部材６８が回動して球供給状態から球供給停止状態へ変換する。また、ノックリンク部１２０のリンクアーム１２２が打球発射杵５３の第１動作により発生した回動力をノック部材１１５へ伝達する。すると、ノック部材１１５は、この伝達力により第１ノック部１１７が回動規制部８１の第１ノック規制部１２５に近づくとともに第２ノック部１１８が第２ノック規制部１２６から遠ざかる方向、すなわち図７（ｂ）に示す矢印Ｃの方向への回動動作（第１ノック回動動作）を行う。
【００４３】
引き続き打球発射杵５３が第１動作を行って弾発部７８を球発射位置７０へ進入させると、弾発部７８が球発射位置７０に配置された遊技球に衝突する。さらに打球発射杵５３が第１動作を続けると、発射ストッパー７９が第１杵規制部９８に衝突し、打球発射杵５３の第１動作が規制される。また、この衝突と同時あるいは略同時に、第１ノック回動動作を行っていたノック部材１１５が第１ノック部１１７を回動規制部８１のノック衝突部１２４、詳しくはノック衝突部１２４の第１ノック規制部１２５へ衝突して撃力を発生する。この結果、発射装置１７は、ノック部材１１５の第１ノック部１１７を打球発射杵５３の発射ストッパー７９とは反対側から回動規制部８１（緩衝部材９１）へ衝突して、ノック部材１１５の撃力により打球発射杵５３と回動規制部８１（緩衝部材９１）との衝突で生じた振動を減衰する。したがって、発射ストッパー７９と回動規制部８１（緩衝部材９１）との衝突で生じた振動を、緩衝部材９１を変形して吸収するだけではなく、ノック部材１１５による振動により打ち消すことで十分に減衰し易い。また、緩衝部材９１が大きく変形することなく打球発射杵５３から生じた振動を減衰することができ、緩衝部材９１の変形による劣化を抑制し易い。また、第１ノック規制部１２５を第１衝突延長線Ｌ１上に設定しているので、発射ストッパー７９と回動規制部８１（緩衝部材９１）との衝突で生じた振動を、第１ノック部１１７による反対側の振動により打ち消すこと、すなわち相殺することで十分に減衰し易い。
【００４４】
打球発射杵５３の第１動作を規制したならば、ロータリーソレノイド５４を消磁して、自重により打球発射杵５３に球発射位置７０から離れる第２動作を行わせる（図７（ａ）参照）。打球発射杵５３が第２動作を行うと、リンクアーム１２２が打球発射杵５３の第２動作により発生した回動力をノック部材１１５へ伝達する。すると、ノック部材１１５は、この伝達力により第１ノック部１１７が回動規制部８１から遠ざかるとともに第２ノック部１１８が回動規制部８１に近づく回動動作（第２ノック回動動作）を行う。また、球送りリンク部８６により球送り部材６８が球供給停止状態から球供給状態へ戻る。
【００４５】
さらに、打球発射杵５３が第２動作を続けると、杵部７７が回動規制部８１の第２杵規制部９９に衝突し、打球発射杵５３の第２動作が規制される。また、この衝突と同時あるいは略同時に、第２ノック回動動作を行っていたノック部材１１５が第２ノック部１１８を回動規制部８１の第２ノック規制部１２６へ衝突して撃力を発生する。この結果、発射装置１７は、ノック部材１１５の第２ノック部１１８を打球発射杵５３の杵部７７とは反対側から回動規制部８１（緩衝部材９１）へ衝突して、ノック部材１１５の撃力により打球発射杵５３と回動規制部８１（緩衝部材９１）との衝突で生じた振動を減衰する。したがって、杵部７７と回動規制部８１（緩衝部材９１）との衝突で生じた振動を、緩衝部材９１を変形して吸収するだけではなく、ノック部材１１５による振動により打ち消すことで十分に減衰し易い。また、打球発射杵５３を弾発準備状態へ戻す動作、すなわち遊技球を発射する準備段階においても、緩衝部材９１が大きく変形することなく打球発射杵５３から生じた振動を減衰することができ、緩衝部材９１の変形による劣化を抑制し易い。また、第２ノック規制部１２６を第２衝突延長線Ｌ２上に設定しているので、発射ストッパー７９と回動規制部８１（緩衝部材９１）との衝突で生じた振動を、第１ノック部１１７による反対側の振動により打ち消すこと、すなわち相殺することで十分に減衰し易い。
【００４６】
ところで、上記実施形態では、発射装置１７に１つの回動規制部８１を備え、回動規制部８１に発射ストッパー７９を衝突することで打球発射杵５３の第１動作（発射動作）を規制し、杵部７７を衝突することで打球発射杵５３の第２動作（発射準備動作）を規制するように構成したが、本発明はこれに限定されない。例えば、図８に示すように、第１動作を規制するための構成要素と、第２動作を規制するための構成要素とを別個に設けてもよい。具体的に説明すると、図８に示す回動規制部１３０は、打球発射杵５３の第１動作を規制する発射回動規制部１３１と、第２動作を規制する発射準備回動規制部１３２とを備え、発射回動規制部１３１を打球発射杵５３よりも球発射位置７０側（図８（ａ）中、右側）に配置し、発射準備回動規制部１３２を打球発射杵５３を挟んで球発射位置７０とは反対側（図８（ａ）中、左側）に配置している。
【００４７】
発射回動規制部１３１は、衝撃を吸収し易い材料、例えばゴムやウレタン等の弾性体で形成された横長な発射緩衝部材１３４（本発明における緩衝部材の一種）と、該発射緩衝部材１３４をベース基部５９へ止着するビス等の発射緩衝支持部１３５（本発明における緩衝支持部の一種）とから構成されている。発射緩衝部材１３４は、発射回動軸６０側（図８（ａ）中、左側）へ向けて上り傾斜した状態で配置され、当該発射緩衝部材１３４のうち打球発射杵５３に対向する下側部分を打球発射杵５３側へ向けて膨出し、この膨出部の表面に、打球発射杵５３の杵部７７が衝突可能な発射衝突部１３６（本発明における衝突部に相当）を設定している。
【００４８】
発射緩衝支持部１３５は、第１発射緩衝支持部１３５ａ（本発明における第１緩衝支持部の一種）と、第２発射緩衝支持部１３５ｂ（本発明における第２緩衝支持部の一種）とから構成されている。また、第１発射緩衝支持部１３５ａを、発射衝突部１３６を通って杵部７７の衝突方向に沿う発射衝突延長線Ｍ１（本発明における衝突延長線の一種）の一側方（図８（ａ）中、左側方）に配置し、この第１発射緩衝支持部１３５ａで発射緩衝部材１３４の発射回動軸６０側の端部（一端部）をベース基部５９へ止着している。一方、第２発射緩衝支持部１３５ｂを、発射衝突延長線Ｍ１の他側方（図８（ａ）中、右側方）に配置し、この第２発射緩衝支持部１３５ｂで発射緩衝部材１３４の発射回動軸６０側とは反対側の端部（他端部）をベース基部５９へ止着している。さらに、第１発射緩衝支持部１３５ａおよび第２発射緩衝支持部１３５ｂを、発射衝突延長線Ｍ１と略直交する発射衝突直交線Ｎ１（本発明における衝突直交線の一種）の上に配置し、第１発射緩衝支持部１３５ａと発射衝突延長線Ｍ１との距離と、第２発射緩衝支持部１３５ｂと発射衝突延長線Ｍ１との距離とを等しく設定している。したがって、第１発射緩衝支持部１３５ａと第２発射緩衝支持部１３５ｂとの間の中央部分に発射衝突部１３６が設定される。
【００４９】
発射準備回動規制部１３２は、衝撃を吸収し易い材料、例えばゴムやウレタン等の弾性体で形成された縦長な発射準備緩衝部材１３８（本発明における緩衝部材の一種）と、該発射準備緩衝部材１３８をベース基部５９へ止着するビス等の発射準備緩衝支持部１３９（本発明における緩衝支持部の一種）とから構成されている。発射準備緩衝部材１３８は、発射回動軸６０よりも下方に配置され、当該発射準備緩衝部材１３８のうち打球発射杵５３に対向する側部（図８（ｂ）中、右側部）を打球発射杵５３側へ向けて膨出し、この膨出部の表面に、打球発射杵５３の杵部７７が衝突可能な発射準備衝突部１４０（本発明における衝突部に相当）を設定している。
【００５０】
発射準備緩衝支持部１３９は、第１発射準備緩衝支持部１３９ａ（本発明における第１緩衝支持部の一種）と、第２発射準備緩衝支持部１３９ｂ（本発明における第２緩衝支持部の一種）とから構成されている。また、第１発射準備緩衝支持部１３９ａを、発射準備衝突部１４０を通って杵部７７の衝突方向に沿う発射準備衝突延長線Ｍ２（本発明における衝突延長線の一種）の一側方（図８（ｂ）中、上方）に配置し、この第１発射準備緩衝支持部１３９ａで発射準備緩衝部材１３８の発射回動軸６０側の端部（一端部）をベース基部５９へ止着している。一方、第２発射準備緩衝支持部１３９ｂを、発射準備衝突延長線Ｍ２の他側方（図８（ｂ）中、下方）に配置し、この第２発射準備緩衝支持部１３９ｂで発射準備緩衝部材１３８の発射回動軸６０側とは反対側の端部（他端部）をベース基部５９へ止着している。さらに、第１発射準備緩衝支持部１３９ａおよび第２発射準備緩衝支持部１３９ｂを、発射準備衝突延長線Ｍ２と略直交する発射準備衝突直交線Ｎ２（本発明における衝突直交線の一種）の上に配置し、第１発射準備緩衝支持部１３９ａと発射準備衝突延長線Ｍ２との距離と、第２発射準備緩衝支持部１３９ｂと発射準備衝突延長線Ｍ２との距離とを等しく設定している。したがって、第１発射準備緩衝支持部１３９ａと第２発射準備緩衝支持部１３９ｂとの間の中央部分に発射準備衝突部１４０が設定される。
【００５１】
このような構成の回動規制部１３０を備えて打球発射杵５３が第１動作を行って発射回動規制部１３１に衝突すると、杵部７７が発射衝突部１３６、すなわち発射緩衝部材１３４の中央部分に衝突する。したがって、発射緩衝部材１３４が第１発射緩衝支持部１３５ａ側あるいは第２発射緩衝支持部１３５ｂ側に偏って変形することを抑制することができる。一方、打球発射杵５３が第２動作を行って発射準備回動規制部１３２に衝突すると、杵部７７が発射準備衝突部１４０、すなわち発射準備緩衝部材１３８の中央部分に衝突する。したがって、発射準備緩衝部材１３８が第１発射準備緩衝支持部１３９ａ側あるいは第２発射準備緩衝支持部１３９ｂ側に偏って変形することを抑制することができる。この結果、打球発射杵５３からの衝撃を発射緩衝部材１３４あるいは発射準備緩衝部材１３８の一部に集中して受けることを避けることができ、各緩衝部材１３４，１３８の劣化を抑えることができる。また、発射衝突部１３６を第１発射緩衝支持部１３５ａと第２発射緩衝支持部１３５ｂとの中間部分に設定し、発射準備衝突部１４０を第１発射準備緩衝支持部１３９ａと第２発射準備緩衝支持部１３９ｂとの中間部分に設定するので、発射緩衝部材１３４あるいは発射準備緩衝部材１３８を十分に変形する（撓ませる）ことができ、打球発射杵５３から受ける衝撃を一層吸収することができる。
【００５２】
なお、上記実施形態では、発射衝突部１３６および発射準備衝突部１４０を杵部７７側へ向けて膨出して、発射衝突部１３６および発射準備衝突部１４０が杵部７７に衝突し易いように構成したが、これに限定されない。例えば、図１０に示すように、発射緩衝部材１３４および発射準備緩衝部材１３８を平板状に形成して発射衝突部１３６および発射準備衝突部１４０を膨出せず、その代りに、杵部７７のうち発射衝突部１３６に衝突可能な箇所を発射回動規制部１３１側へ向けて膨出し、杵部７７のうち発射準備衝突部１４０に衝突可能な箇所を発射準備回動規制部１３２側へ向けて膨出してもよい。
【００５３】
また、上記実施形態では、発射装置１７を前面枠本体４に対して開閉可能な貯留皿ユニット１４に設けたが、本発明はこれに限らず、発射装置を前面枠本体４（例えばボード部２４）に設けてもよい。要は、遊技領域８に遊技球を発射可能であれば、発射装置を何処に配置してもよい。
【００５４】
さらに、上記実施形態では、代表的な遊技機であるパチンコ遊技機を例にして説明したが、本発明はこれに限らず、遊技領域に遊技球を発射可能な発射装置を備えた遊技機であればどのような遊技機でもよい。例えば、内部に封入した遊技球を循環させる封入球式パチンコ機、アレンジボール式遊技機、雀球式遊技機等の遊技機であってもよい。
【００５５】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００５６】
【図１】パチンコ遊技機の斜視図である。
【図２】貯留皿ユニットを開いた状態のパチンコ遊技機の下部の拡大斜視図である。
【図３】（ａ）は発射装置の後方から見た斜視図、（ｂ）は前方から見た斜視図である。
【図４】（ａ）は打球発射杵を弾発準備状態に変換した発射装置の背面図、（ｂ）は打球発射杵を弾発状態に変換した発射装置の背面図である。
【図５】（ａ）は回動規制部の分解図、（ｂ）は回動規制部の断面図である。
【図６】回動規制部の変形例を示す説明図であり、（ａ）は分解図、（ｂ）は断面図である。
【図７】ノック部材を備えた発射装置の説明図であり、（ａ）は打球発射杵を弾発準備状態に変換した発射装置の背面図、（ｂ）は打球発射杵を弾発状態に変換した発射装置の背面図である。
【図８】回動規制部を発射回動規制部と発射準備回動規制部とで構成した実施形態の説明図であり、（ａ）は発射回動規制部に打球発射杵を衝突した状態図、（ｂ）は発射準備回動規制部に打球発射杵を衝突した状態図である。
【図９】回動規制部を発射回動規制部と発射準備回動規制部とで構成した実施形態の変形例の説明図であり、（ａ）は発射回動規制部に打球発射杵を衝突した状態図、（ｂ）は発射準備回動規制部に打球発射杵を衝突した状態図である。
【符号の説明】
【００５７】
１  パチンコ遊技機
３  前面枠
４  前面枠本体
８  遊技領域
１４  貯留皿ユニット
１７  発射装置
３１  ベースパネル
３３  皿部材
３５  球流下樋
５２  発射ベース
５３  打球発射杵
５４  ロータリーソレノイド
５６  リンク機構
５９  ベース基部
６０  発射回動軸
６４  球送り流路
６８  球送り部材
７０  球発射位置
７４  球保持部
７７  杵部
７８  弾発部
７９  発射ストッパー
８１  回動規制部
９１  緩衝部材
９２  緩衝支持部
９３  第１緩衝支持部
９４  第２緩衝支持部
９７  発射衝突部
９８  第１杵規制部
９９  第２杵規制部
１０５  緩衝ホルダ部
１０６  止着部材
１０８  ホルダ接続部
１１０  ホルダ本体
１１５  ノック部材
１１６  ノック回動軸
１１７  第１ノック部
１１８  第２ノック部
１２０  ノックリンク部
１２４  ノック衝突部
１２５  第１ノック規制部
１２６  第２ノック規制部
１３０  回動規制部
１３１  発射回動規制部
１３２  発射準備回動規制部
１３４  発射緩衝部材
１３５  発射緩衝支持部
１３５ａ  第１発射緩衝支持部
１３５ｂ  第２発射緩衝支持部
１３６  発射衝突部
１３８  発射準備緩衝部材
１３９  発射準備緩衝支持部
１３９ａ  第１発射準備緩衝支持部
１３９ｂ  第２発射準備緩衝支持部
１４０  発射準備衝突部
【図１】
0004443534.tif 000002
【図２】
0004443534.tif 000003
【図３】
0004443534.tif 000004
【図４】
0004443534.tif 000005
【図５】
0004443534.tif 000006
【図６】
0004443534.tif 000007
【図７】
0004443534.tif 000008
【図８】
0004443534.tif 000009
【図９】
0004443534.tif 000010